(57)【要約】【課題】一台の保護膜転写装置によって複数種類の保護膜箔を転写可能とすることで設置面積の省スペース化を図る。【解決手段】カードに転写されるｎ種類の保護膜箔がｎ枚置きに順番に繰り返しコーティングされたテープ、テープがロール状に巻きつけられる元巻き軸及び保護膜箔がカードに転写された後のテープを巻き取る巻取り軸を内蔵したカートリッジと、元巻き軸若しくは巻取り軸を回転駆動させることで、テープの巻取方向を切換自在にテープを巻き取る巻取部と、カートリッジから露出したテープに対して重なるようにカードを搬送する搬送方向切換自在な搬送部と、テープ及びカードが重なった際に保護膜箔をカードに転写する転写部と、ｎ種類の保護膜箔が元巻き軸側から順にカードに転写されるように、巻取部、搬送部及び転写部を制御する制御部とを備える保護膜転写装置である。【選択図】図２
2007136893.tif 000002
【特許請求の範囲】
【請求項１】
カードに転写されるｎ（ｎは２以上の自然数）種類の保護膜箔がｎ枚置きに順番に繰り返しコーティングされたテープ、当該テープがロール状に巻きつけられる元巻き軸及び前記保護膜箔がカードに転写された後の前記テープを巻き取る巻取り軸を内蔵したカートリッジと、
前記元巻き軸若しくは前記巻取り軸を回転駆動させることで、前記テープの巻取方向を切換自在に前記テープを巻き取る巻取部と、
前記カートリッジから露出した前記テープに対して重なるように前記カードを搬送する搬送方向切換自在な搬送部と、
前記テープ及び前記カードが重なった際に前記保護膜箔を前記カードに転写する転写部と、
ｎ種類の保護膜箔が元巻き軸側から順にカードに転写されるように、前記巻取部、前記搬送部及び前記転写部を制御する制御部とを備えることを特徴とする保護膜転写装置。
【請求項２】
前記制御部は、ｘ（ｘは１〜（ｎ−１）の自然数）種類目の保護膜箔が前記カードに転写された後、当該ｘ種類目の保護膜箔に対して前記巻取り軸側で隣り合う（ｘ＋１）種類目の保護膜箔が前記カードに転写されるように、前記巻取部、前記搬送部及び前記転写部を制御するとともに、
ｎ種類目の保護膜箔が前記カードに転写された後、当該ｎ種類目の保護膜箔に対して前記元巻き軸側に保護膜箔（２ｎ−１）枚分離れた位置にある１種類目の保護膜箔が次のカードに転写されるように、前記巻取部、前記搬送部及び前記転写部を制御することを特徴とする請求項１に記載の保護膜転写装置。
【請求項３】
前記巻取部は前記巻取り軸を回転駆動させることで、前記転写部よりも下流側において、前記カードの搬送方向と交差する方向に前記テープを巻き取ることにより、前記カードに転写された前記保護膜箔の先端を前記テープから剥離することを特徴とする請求項１または２に記載の保護膜転写装置。
【請求項４】
前記巻取部は前記元巻き軸を回転駆動させることで、前記転写部よりも上流側において、前記カードの搬送方向と交差する方向に前記テープを巻き取ることにより、前記カードに転写された前記保護膜箔の後端を前記テープから剥離することを特徴とする請求項１〜３のいずれか一項に記載の保護膜転写装置。
【請求項５】
前記搬送部は前記カードの搬送経路上で前記保護膜が転写されたカードを前記テープから離れる方向に引っ張ることで前記保護膜箔をカード上の保護膜箔と前記テープに残存する保護膜箔とに剪断する引張部を備えることを特徴とする請求項１〜４のいずれか一項に記載の保護膜転写装置。
【請求項６】
転写部と、
カードを前記転写部の上流から下流に搬送するとともに前記カードをその反対方向に搬送する搬送部と、
前記転写部よりも上流側においてテープを巻回した元巻き軸と、
前記転写部よりも下流側において前記テープを前記元巻き軸から前記転写部を経由して巻き取る巻取り軸と、を備え、
前記巻取り軸が前記テープを巻き取ることによって、前記テープに形成された上流側保護膜箔よりも前記巻取り軸側で前記テープに形成された下流側保護膜箔を前記転写部の下流に送り、
前記転写部が前記上流側保護膜箔を前記カードに圧接した状態で、前記巻取り軸が前記テープを巻き取りながら前記搬送部が前記カードを前記転写部の上流から下流に搬送することで、前記上流側保護膜箔を前記カードに転写し、
前記元巻き軸が前記テープを巻き取りながら前記搬送部が前記カードを前記転写部の下流から上流に搬送し、
前記元巻き軸が前記テープを巻き取ることによって、前記下流側保護膜箔を前記転写部の上流に送り、
前記転写部が前記下流側保護膜箔を前記カードに圧接した状態で、前記巻取り軸が前記テープを巻き取りながら前記搬送部が前記カードを前記転写部の上流から下流に搬送することで、前記下流側保護膜箔を前記カードに転写する保護膜転写装置。
【請求項７】
前記転写部よりも下流側に、前記巻取り軸による前記テープの巻取り方向を前記カードの搬送方向と交差する方向に案内するガイドローラを備え、
前記巻取り軸が前記カードの搬送方向と交差する方向に前記テープを巻き取ることにより、前記カードに転写された前記上流側保護膜箔の先端を前記テープから剥離することを特徴とする請求項６に記載の保護膜転写装置。
【請求項８】
前記転写部よりも上流側に、前記元巻き軸による前記テープの巻取り方向を前記カードの搬送方向と交差する方向に案内するガイドローラを備え、
前記元巻き軸が前記カードの搬送方向と交差する方向に前記テープを巻き取ることにより、前記カードに転写された前記上流側保護膜箔の後端を前記テープから剥離することを特徴とする請求項６または７に記載の保護膜転写装置。
【請求項９】
前記転写部よりも下流側に、前記巻取り軸による前記テープの巻取り方向を前記カードの搬送方向と交差する方向に案内するガイドローラを備えるとともに、前記搬送部は前記ガイドローラよりも下流側に前記カードを排出する排出駆動ローラを備え、
前記巻取り軸が前記カードの搬送方向と交差する方向に前記テープを巻き取ることにより、前記カードに転写された前記下流側保護膜箔の先端を前記テープから剥離するとともに、
前記排出駆動ローラにより前記カードを搬送方向下流側に引っ張ることで、前記カードに転写された前記下流側保護膜箔の後端を前記テープから剪断することを特徴とする請求項６〜８のいずれか一項に記載の保護膜転写装置。
【請求項１０】
転写部よりも上流側の元巻き軸に巻回されたテープを前記転写部よりも下流側の巻取り軸に巻き取りながら、前記転写部により前記テープとカードを圧接した状態で搬送部により前記カードを前記転写部の下流へ搬送することで、前記テープに形成された保護膜箔を前記カードに転写する保護膜転写方法において、
前記巻取り軸により前記テープを巻き取ることによって、前記テープに形成された上流側保護膜箔よりも前記巻取り軸側で前記テープに形成された下流側保護膜箔を前記転写部の下流に送るステップと、
前記転写部により前記上流側保護膜箔を前記カードに圧接した状態で、前記巻取り軸により前記テープを巻き取りながら前記搬送部により前記カードを前記転写部の上流から下流に搬送することで、前記上流側保護膜箔を前記カードに転写するステップと、
前記元巻き軸により前記テープを巻き取りながら前記搬送部により前記カードを前記転写部の下流から上流に搬送するステップと、
前記元巻き軸により前記テープを巻き取ることによって、前記下流側保護膜を前記転写部の上流に送るステップと、
前記転写部により前記下流側保護膜箔を前記カードに圧接した状態で、前記巻取り軸により前記テープを巻き取りながら前記搬送部により前記カードを前記転写部の上流から下流に搬送することで、前記下流側保護膜箔を前記カードに転写するステップと、を含むことを特徴とする保護膜転写方法。
【請求項１１】
前記転写部よりも下流側において、前記巻取り軸により前記カードの搬送方向と交差する方向に前記テープを巻き取ることにより、前記カードに転写された前記上流側保護膜箔の先端を前記テープから剥離するステップをさらに含むことを特徴とする請求項１０に記載の保護膜転写方法。
【請求項１２】
前記転写部よりも上流側において、前記元巻き軸により前記カードの搬送方向と交差する方向に前記テープを巻き取ることにより、前記カードに転写された前記上流側保護膜箔の後端を前記テープから剥離するステップをさらに含むことを特徴とする請求項１０または１１に記載の保護膜転写方法。
【請求項１３】
前記転写部よりも下流側において、前記巻取り軸により前記カードの搬送方向と交差する方向に前記テープを巻き取ることにより、前記カードに転写された前記下流側保護膜箔の先端を前記テープから剥離するとともに、前記搬送部により前記カードを搬送方向下流側に引っ張ることで、前記カードに転写された前記下流側保護膜箔の後端を前記テープから剪断するステップをさらに含むことを特徴とする請求項１０〜１２のいずれか一項に記載の保護膜転写方法。
【発明の詳細な説明】
【技術分野】
【０００１】
本発明は、保護膜転写装置及び保護膜転写方法に係り、特に複数種類の保護膜箔の転写が可能な保護膜転写装置及び保護膜転写方法に関する。
【背景技術】
【０００２】
従来、キャッシュカードや、クレジットカード、従業者証、社員証、会員証、学生証などのＩＤカードには、表面の保護を図るために最上位層に保護膜箔が転写されている。このため、カード作成装置にはカード作成の最終工程として保護膜箔を転写する保護膜転写装置が搭載されていて、この保護膜転写装置によりＩＤカードの最上位層に保護膜箔が転写されることになる（例えば、特許文献１，２参照）。この特許文献１，２に示すように保護膜転写装置には、保護膜箔を転写するためのカートリッジが内蔵されている。カートリッジには、保護膜箔が積層されたラミネートフィルムがロール状に巻かれていて、保護膜転写装置が、カートリッジ内のラミネートフィルムを搬送し保護膜箔とＩＤカードとを接触させて加熱することで、保護膜箔がＩＤカードの表面に転写されるようになっている。
【特許文献１】特開２００１−１６７４号公報
【特許文献２】特開２００２−３４７３７２号公報
【発明の開示】
【発明が解決しようとする課題】
【０００３】
ここで、近年においては種類の異なる複数の保護膜箔をＩＤカードに転写することも提案されているが、こうした場合、種類の異なる保護膜箔専用の保護膜転写装置を設置しなければならず、カード作成装置の大型化を招いてしまい、結果的に設置スペースが広範囲となってしまうおそれがあった。
【０００４】
本発明の課題は、一台の保護膜転写装置によって複数種類の保護膜箔を転写可能とすることで設置面積の省スペース化を図ることである。
【課題を解決するための手段】
【０００５】
以上の課題を解決するため、請求項１記載の発明は、カードに転写されるｎ（ｎは２以上の自然数）種類の保護膜箔がｎ枚置きに順番に繰り返しコーティングされたテープ、当該テープがロール状に巻きつけられる元巻き軸及び前記保護膜箔がカードに転写された後の前記テープを巻き取る巻取り軸を内蔵したカートリッジと、前記元巻き軸若しくは前記巻取り軸を回転駆動させることで、前記テープの巻取方向を切換自在に前記テープを巻き取る巻取部と、前記カートリッジから露出した前記テープに対して重なるように前記カードを搬送する搬送方向切換自在な搬送部と、前記テープ及び前記カードが重なった際に前記保護膜箔を前記カードに転写する転写部と、ｎ種類の保護膜箔が元巻き軸側から順にカードに転写されるように、前記巻取部、前記搬送部及び前記転写部を制御する制御部とを備えることを特徴とする保護膜転写装置である。
【０００６】
請求項２に記載の発明は、請求項１に記載の保護膜転写装置において、前記制御部は、ｘ（ｘは１〜（ｎ−１）の自然数）種類目の保護膜箔が前記カードに転写された後、当該ｘ種類目の保護膜箔に対して前記巻取り軸側で隣り合う（ｘ＋１）種類目の保護膜箔が前記カードに転写されるように、前記巻取部、前記搬送部及び前記転写部を制御するとともに、ｎ種類目の保護膜箔が前記カードに転写された後、当該ｎ種類目の保護膜箔に対して前記元巻き軸側に保護膜箔（２ｎ−１）枚分離れた位置にある１種類目の保護膜箔が次のカードに転写されるように、前記巻取部、前記搬送部及び前記転写部を制御することを特徴とする。
【０００７】
請求項３に記載の発明は、請求項１または２に記載の保護膜転写装置において、前記巻取部は前記巻取り軸を回転駆動させることで、前記転写部よりも下流側において、前記カードの搬送方向と交差する方向に前記テープを巻き取ることにより、前記カードに転写された前記保護膜箔の先端を前記テープから剥離することを特徴とする。
【０００８】
請求項４に記載の発明は、請求項１〜３のいずれか一項に記載の保護膜転写装置において、前記巻取部は前記元巻き軸を回転駆動させることで、前記転写部よりも上流側において、前記カードの搬送方向と交差する方向に前記テープを巻き取ることにより、前記カードに転写された前記保護膜箔の後端を前記テープから剥離することを特徴とする。
【０００９】
請求項５記載の発明は、請求項１〜４のいずれか一項に記載の保護膜転写装置において、前記搬送部は前記カードの搬送経路上で前記保護膜が転写されたカードを前記テープから離れる方向に引っ張ることで前記保護膜箔をカード上の保護膜箔と前記テープに残存する保護膜箔とに剪断する引張部を備えることを特徴とする。
【００１０】
請求項６記載の発明は、転写部と、カードを前記転写部の上流から下流に搬送するとともに前記カードをその反対方向に搬送する搬送部と、前記転写部よりも上流側においてテープを巻回した元巻き軸と、前記転写部よりも下流側において前記テープを前記元巻き軸から前記転写部を経由して巻き取る巻取り軸と、を備え、前記巻取り軸が前記テープを巻き取ることによって、前記テープに形成された上流側保護膜箔よりも前記巻取り軸側で前記テープに形成された下流側保護膜箔を前記転写部の下流に送り、前記転写部が前記上流側保護膜箔を前記カードに圧接した状態で、前記巻取り軸が前記テープを巻き取りながら前記搬送部が前記カードを前記転写部の上流から下流に搬送することで、前記上流側保護膜箔を前記カードに転写し、前記元巻き軸が前記テープを巻き取りながら前記搬送部が前記カードを前記転写部の下流から上流に搬送し、前記元巻き軸が前記テープを巻き取ることによって、前記下流側保護膜箔を前記転写部の上流に送り、前記転写部が前記下流側保護膜箔を前記カードに圧接した状態で、前記巻取り軸が前記テープを巻き取りながら前記搬送部が前記カードを前記転写部の上流から下流に搬送することで、前記下流側保護膜箔を前記カードに転写する保護膜転写装置である。
【００１１】
請求項７に記載の発明は、請求項６に記載の保護膜転写装置において、前記転写部よりも下流側に、前記巻取り軸による前記テープの巻取り方向を前記カードの搬送方向と交差する方向に案内するガイドローラを備え、前記巻取り軸が前記カードの搬送方向と交差する方向に前記テープを巻き取ることにより、前記カードに転写された前記上流側保護膜箔の先端を前記テープから剥離することを特徴とする。
【００１２】
請求項８に記載の発明は、請求項６または７に記載の保護膜転写装置において、前記転写部よりも上流側に、前記元巻き軸による前記テープの巻取り方向を前記カードの搬送方向と交差する方向に案内するガイドローラを備え、前記元巻き軸が前記カードの搬送方向と交差する方向に前記テープを巻き取ることにより、前記カードに転写された前記上流側保護膜箔の後端を前記テープから剥離することを特徴とする。
【００１３】
請求項９に記載の発明は、請求項６〜８のいずれか一項に記載の保護膜転写装置において、前記転写部よりも下流側に、前記巻取り軸による前記テープの巻取り方向を前記カードの搬送方向と交差する方向に案内するガイドローラを備えるとともに、前記搬送部は前記ガイドローラよりも下流側に前記カードを排出する排出駆動ローラを備え、前記巻取り軸が前記カードの搬送方向と交差する方向に前記テープを巻き取ることにより、前記カードに転写された前記下流側保護膜箔の先端を前記テープから剥離するとともに、前記排出駆動ローラにより前記カードを搬送方向下流側に引っ張ることで、前記カードに転写された前記下流側保護膜箔の後端を前記テープから剪断することを特徴とする。
【００１４】
請求項１０に記載の発明は、転写部よりも上流側の元巻き軸に巻回されたテープを前記転写部よりも下流側の巻取り軸に巻き取りながら、前記転写部により前記テープとカードを圧接した状態で搬送部により前記カードを前記転写部の下流へ搬送することで、前記テープに形成された保護膜箔を前記カードに転写する保護膜転写方法において、前記巻取り軸により前記テープを巻き取ることによって、前記テープに形成された上流側保護膜箔よりも前記巻取り軸側で前記テープに形成された下流側保護膜箔を前記転写部の下流に送るステップと、前記転写部により前記上流側保護膜箔を前記カードに圧接した状態で、前記巻取り軸により前記テープを巻き取りながら前記搬送部により前記カードを前記転写部の上流から下流に搬送することで、前記上流側保護膜箔を前記カードに転写するステップと、前記元巻き軸により前記テープを巻き取りながら前記搬送部により前記カードを前記転写部の下流から上流に搬送するステップと、前記元巻き軸により前記テープを巻き取ることによって、前記下流側保護膜を前記転写部の上流に送るステップと、前記転写部により前記下流側保護膜箔を前記カードに圧接した状態で、前記巻取り軸により前記テープを巻き取りながら前記搬送部により前記カードを前記転写部の上流から下流に搬送することで、前記下流側保護膜箔を前記カードに転写するステップと、を含むことを特徴とする。
【００１５】
請求項１１に記載の発明は、請求項１０に記載の保護膜転写方法において、前記転写部よりも下流側において、前記巻取り軸により前記カードの搬送方向と交差する方向に前記テープを巻き取ることにより、前記カードに転写された前記上流側保護膜箔の先端を前記テープから剥離するステップをさらに含むことを特徴とする。
【００１６】
請求項１２に記載の発明は、請求項１０または１１に記載の保護膜転写方法において、前記転写部よりも上流側において、前記元巻き軸により前記カードの搬送方向と交差する方向に前記テープを巻き取ることにより、前記カードに転写された前記上流側保護膜箔の後端を前記テープから剥離するステップをさらに含むことを特徴とする。
【００１７】
請求項１３に記載の発明は、請求項１０〜１２のいずれか一項に記載の保護膜転写方法において、前記転写部よりも下流側において、前記巻取り軸により前記カードの搬送方向と交差する方向に前記テープを巻き取ることにより、前記カードに転写された前記下流側保護膜箔の先端を前記テープから剥離するとともに、前記搬送部により前記カードを搬送方向下流側に引っ張ることで、前記カードに転写された前記下流側保護膜箔の後端を前記テープから剪断するステップをさらに含むことを特徴とする。
【発明の効果】
【００１８】
本発明によれば、一台の保護膜転写装置によって複数種類の保護膜箔を転写することが可能となる。これにより、カード作成装置を小型化することができ、結果的に設置面積を省スペース化することができる。
【００１９】
また、カードの搬送経路上で保護膜が転写されたカードをテープから離れる方向に引っ張ることで、保護膜箔を、カード上の保護膜箔とテープに残存する保護膜箔とに剪断するので、カードに転写された保護膜箔をテープから容易に剥離することができる。
【発明を実施するための最良の形態】
【００２０】
以下、本実施形態における保護膜転写装置について図を参照にして説明する。まず、本発明に係る保護膜転写装置を搭載したカード作成装置について図１を参照に説明する。図１は、カード作成装置におけるカードの流れを表すブロック図である。
【００２１】
カード作成装置１は、プリント部２と、カード供給マガジン３と、保護膜転写装置６と、カードスタッカー部７とを備える。
【００２２】
カード供給マガジン３はプリント部２の上流に配置され、未印刷のカードをプリント部に供給する。プリント部２はカードに印刷を行い、保護膜転写装置６に搬送する。保護膜転写装置６は、プリント部２の下流側に配置されて当該プリント部２からのカードに対して保護膜箔を転写する。カードスタッカー部７は、保護膜転写装置６の下流側に配置されて当該保護膜転写装置６から排出された保護膜箔転写済みのカードを格納する。
保護膜転写装置６を含むカード作成装置１の各駆動部は、後述する制御部３０により制御される。
【００２３】
以下、保護膜転写装置６について説明する。保護膜転写装置６は、ベース６０と、カートリッジ８と、搬送部１０と、転写部２０とを備え、後述する制御部３０により制御されている。
【００２４】
図２は保護膜転写装置６の正面図である。ベース６０は後述するように、爪部材６１、巻取部６３（図５参照）、入口センサ６４及び出口センサ６５が設けられている。
また、ベース６０には搬送部１０、転写部２０が保持されるとともに、カートリッジ８が交換自在に固定されるようになっている。
【００２５】
搬送部１０はベース６０の下部に水平方向に配置されており、搬送ローラ１１、従動ローラ１２、搬入ベルト１３、駆動ローラ１４、押さえローラ１５、転写後駆動ローラ１６、転写後従動ローラ１７、排出駆動ローラ１８及び排出従動ローラ１９を備える。
従動ローラ１２が回転可能に設けられ、従動ローラ１２よりも搬送方向下流側に駆動ローラ１４が配置され、駆動ローラ１４と従動ローラ１２に無端状の搬入ベルト１３が掛けられている。搬入ベルト１３の上には、回転可能に設けられた２つの押さえローラ１５が配列され、これら押えローラ１５が搬入ベルト１３に接している。モータにより駆動ローラ１４が駆動されることで、搬入ベルト１３の上に載置されたカード４が押えローラ１５と搬入ベルト１３との間に挟まれた状態で搬送され、押さえローラ１５によりカード４の浮き上がりが防止される。
【００２６】
駆動ローラ１４よりも搬送方向下流側に転写後駆動ローラ１６が設けられ、この転写後駆動ローラ１６の上に転写後従動ローラ１７が圧接され、カード４が転写後駆動ローラ１６と転写後従動ローラ１７に挟まれた状態で搬送される。転写後従動ローラ１７が昇降装置６６（図５に図示）によって上下に移動され、これにより転写後従動ローラ１７が転写後駆動ローラ１６に対して接離可能とされている。また、転写後従動ローラ１７には冷却器が内蔵され、転写後従動ローラ１７に接したカード４が転写後従動ローラ１７によって冷却される。
転写後駆動ローラ１６よりも搬送方向下流側には搬送ローラ１１が設けられている。搬送ローラ１１よりも搬送方向下流側に排出駆動ローラ１８が設けられ、排出駆動ローラ１８の上に排出従動ローラ１９が圧接されている。排出駆動ローラ１８、排出従動ローラ１９よりも搬送方向下流側にカードスタッカー部７が配置され、排出駆動ローラ１８、排出従動ローラ１９に挟まれたカードがカードスタッカー部７に排出される。
【００２７】
転写部２０は、駆動ローラ１４と転写後駆動ローラ１６との間に配置された従動式のプラテンローラ２１と、プラテンローラ２１の上に圧接された駆動式の転写ローラ２２とを備える。転写ローラ２２は昇降装置６７（図５に図示）によって転写後従動ローラ１７と一体となって上下に移動され、これにより転写ローラ２２がプラテンローラ２１に対して接離可能とされている。また、転写ローラ２２にはヒータが内蔵され、カード４やテープ８１が転写ローラ２２によって加熱される。
【００２８】
搬送部１０におけるベース６０への入口付近には、カード４がその入口を通過したことを検出する入口センサ６４が設けられている。具体的には、入口センサ６４が、押さえローラ１５，１５の間に配置されている。
搬送部１０におけるベース６０からの出口付近には、カード４がその出口を通過したことを検出する出口センサ６５が設けられている。具体的には、出口センサ６５は、排出駆動ローラ１８の下流側に配置されている。
【００２９】
カートリッジ８は保護膜箔の供給源であり、テープ８１と、元巻き軸８２と、巻取り軸８３と、ガイドローラ８１２ａ〜８１２ｇと、位置検出センサ８１３と、ケース８４とからなる。元巻き軸８２、巻取り軸８３及びガイドローラ８１２ａ〜８１２ｇは、ケース８４内において回転可能に設けられている。テープ８１の基端が元巻き軸８２に接続され、テープ８１の先端は巻取り軸８３に接続され、テープ８１がガイドローラ８１２ａ〜８１２ｇに対してこれらの順番に掛けられ、元巻き軸８２から巻取り軸８３までのテープ８１の搬送経路がガイドローラ８１２ａ〜８１２ｇによって形成されている。
【００３０】
位置検出センサ８１３にはフォトインタラプタといった光学センサが用いられ、この位置検出センサ８１３が元巻き軸８２の近傍かつこの搬送経路の途中に設けられている。位置検出センサ８１３は、テープ８１に投光して、テープ８１の透過光を受光することによってテープ８１上の保護膜箔の位置を検出する。
【００３１】
ケース８４の下部には、内側に窪んだ状態のテープ露出口８１１が形成され、テープ８１のガイドローラ８１２ｄとガイドローラ８１２ｅとの間の部分がテープ露出口８１１においてケース８４から露出している。
【００３２】
ベース６０には３つの爪部材６１が設けられている。これらの爪部材６１は、図２の紙面垂直方向から挿入されたカートリッジ８を把持し、これによりカートリッジ８がベース６０に装着される。カートリッジ８がベース６０に装着された状態では、テープ８１のうちガイドローラ８１２ｄとガイドローラ８１２ｅとの間の部分が、転写ローラ２２とプラテンローラ２１との間に挿入されるとともに、転写後駆動ローラ１６と転写後従動ローラ１７との間に挿入される。また、カートリッジ８は交換部品であり、ケース８４が３つの爪部材６１から外れるようになっている。
【００３３】
元巻き軸８２及び巻取り軸８３は、ベース６０に設けられた図示しない巻取部６３（図５参照）により駆動される。巻取部６３は、元巻き軸８２への動力を遮断するとともに巻取り軸８３への動力を伝達する正転状態と、元巻き軸８２への動力を伝達するとともに巻取り軸８３への動力を遮断する反転状態とに切替可能とされている。正転状態では、巻取部６３が元巻き軸８２を従動に切り換えて巻取り軸８３を反時計回りに回転駆動させることで、テープ８１が元巻き軸８２から引き出されて巻取り軸８３に巻き取られる。一方、反転状態では、巻取部６３が巻取り軸８３を従動に切り換えて元巻き軸８２を時計回りに回転駆動させることで、テープ８１が元巻き軸８２に巻き取られる。このように巻取部６３が元巻き軸８２及び巻取り軸８３の駆動・従動を切り換えることにより、テープ８１の送り方向が切り換えられるようになっている。
【００３４】
ここで、テープ８１についてさらに詳細に説明する。図３はテープ８１の表面を表す説明図であり、図４は図３のIV−IV断面図である。図３，図４に示すように、テープ８１は、支持体８１ａに第１保護膜箔Ａまたは第２保護膜箔Ｂがコーティングされ、さらに第１保護膜箔Ａまたは第２保護膜箔Ｂの表面に接着剤からなる接着層８５が形成されている。なお、図４ではカード４に転写される面を下としている。
支持体８１ａとしてはＰＥＴ樹脂等を用いることができ、保護膜箔としてはＵＶ硬化樹脂等を用いることができる。接着剤としてはホットメルト剤等を用いることができる。
【００３５】
本実施形態では、基端側（元巻き軸８２側）から第１保護膜箔Ａ、第２保護膜箔Ｂという順で交互に、これらがテープ８１の先端側（巻取り軸８３側）まで繰り返し配列されている。各保護膜箔は少なくともカード４のサイズよりも大きい。なお、図３の２点鎖線部がカード４に転写される保護膜箔のサイズである。２種類の保護膜箔（第１保護膜箔Ａ、第２保護膜箔Ｂ）は転写部２０においてカード４に転写され、接着層によりカード４に接着される。
【００３６】
また、各保護膜箔のそれぞれの間には、２種類の保護膜箔のそれぞれの位置を示す複数のマーク（第１マークＣ，第２マークＤ）が設けられている。例えば、第１マークＣは、第１保護膜箔Ａの先端側かつ第２保護膜箔Ｂの基端側に、テープ８１の幅方向に延在する１本のラインとして設けられている。また、第２マークＤは、第２保護膜箔Ｂの先端側かつ第１保護膜箔Ａの基端側に、テープ８１の幅方向に延在する２本のラインとして設けられている。
【００３７】
第１マークＣ及び第２マークＤは、支持体８１ａに例えば銀箔等の不透明な材料をコーティングすることにより形成される。これらのマークは、先端から基端に向けて等間隔に配置されている。
なお、第２マークＤの２本のライン間にコーティングされていない空白部分８９が形成されている。また、各マークの先端側にも、コーティングされていない空白部分９０が形成されている。
【００３８】
また、テープ８１の基端には、エンドテープ９１が設けられている。第１マークＣ、第２マークＤ及びエンドテープ９１は支持体８１ａに例えば銀箔等の不透明な材料をコーティングすることにより形成される。
【００３９】
各マークＣ，Ｄ及びエンドテープ９１は位置検出センサ８１３で検出される。なお、第２マークＤにおいては２本のラインそれぞれの太さを異ならせておけば、テープ８１の方向までも検出することが可能となる。
【００４０】
以下、図３、図７、図１０、図１１においては、第１保護膜箔、第２保護膜箔、第１マーク、第２マークを示す符号Ａ，Ｂ，Ｃ，Ｄにテープ８１の先端側（巻取り軸８３側）からの繰り返し順序を表した数０，１，２，…，ｍ−１，ｍ、あるいは変数ｋ（ｋは０からｍまでの任意の整数）を付して説明する。ここで、第１保護膜箔Ａ１と当該第１保護膜箔Ａ１の先端側で隣り合う第２保護膜箔Ｂ１とに同じ数字（１）が付加されている。
【００４１】
第１マークＣ１は、該第１マークＣ１からテープ８１の先端側に離間した第１保護膜箔Ａ１に対応しており、第２マークＤ１は、該第２マークＤ１からテープ８１の先端側に離間した第２保護膜箔Ｂ１に対応している。
このため、後述するように、元巻き軸８２の近傍に設けられた位置検出センサ８１３により第１マークＣ１または第２マークＤ１を検出することで、後述する制御部３０によりガイドローラ８１２ｄとガイドローラ８１２ｅとの間のテープ８１にある第１保護膜箔Ａ１または第２保護膜箔Ｂ１が基準位置にあるか否かを判定することができる。
【００４２】
同様に、第１マークＣｋは、該第１マークＣｋからテープ８１の先端側に離間した第１保護膜箔Ａｋに対応しており、第２マークＤｋは、該第２マークＤｋからテープ８１の先端側に離間した第２保護膜箔Ｂｋに対応している。
元巻き軸８２の近傍に設けられた位置検出センサ８１３により第１マークＣｋまたは第２マークＤｋを検出することで、後述する制御部３０によりガイドローラ８１２ｄとガイドローラ８１２ｅとの間のテープ８１にある第１保護膜箔Ａｋまたは第２保護膜箔Ｂｋが基準位置にあるか否かを判定することができる。
【００４３】
なお、図３では、最も基端側の第１マークＣｍと最も基端側の第２マークＤｍとの間に保護膜箔が設けられていない。また、最も基端側の第１保護膜箔Ａｍに対応する第１マークＣｍの役割を、エンドテープ９１に持たせてもよい。すなわち、エンドテープ９１の先端側を位置検出センサ８１３が検出することで、最も基端側の第１保護膜箔Ａｍの位置を認識するようにしてもよい。
【００４４】
図５は制御部３０によるカード作成装置１の主制御構成を表すブロック図である。図５に示すように制御部３０には、画像データを作成する例えばＰＣなどの画像データ作成部（図示省略）と通信して、当該画像データ作成部によって作成された画像データを受信する通信部３１、画像データや制御データ、制御プログラムを記憶する記憶部３２、プリント部２、カード供給マガジン３、カードスタッカー部７、ベース６０に設けられた巻取部６３、搬送部１０、転写部２０、位置検出センサ８１３、入口センサ６４、出口センサ６５、昇降装置６６，６７などの各種駆動部が電気的に接続されている。制御部３０は、制御データや制御プログラムを記憶部３２から読み出して各種機器を制御するようになっている。
【００４５】
入口センサ６４によってカード４が検出された場合には、入口センサ６４から制御部３０にカード入検出信号が入力され、出口センサ６５によってカード４が検出された場合には、出口センサ６５からカード出検出信号が入力される。また、位置検出センサ８１３によって第１マークＣｋが検出された場合には、位置検出センサ８１３から制御部３０に第１マーク検出信号が入力され、位置検出センサ８１３によって第２マークＤｋが検出された場合には、位置検出センサ８１３から制御部３０に第２マーク検出信号が入力される。
【００４６】
制御部３０は、記憶部３２中の画像データ、制御データ、制御プログラムを基にして、転写部２０を繰り返し通過するようにカード４を往復させて、往路時に位置検出センサ８１３の検出結果に基づいて第１保護膜箔Ａｋ若しくは第２保護膜箔Ｂｋとカード４との位置を合わせてから第１保護膜箔Ａｋ若しくは第２保護膜箔Ｂｋがカード４に転写されるように巻取部６３、搬送部１０及び転写部２０を制御する。この際、制御部３０は、第１保護膜箔Ａがカード４に転写された後、当該第１保護膜箔Ａｋに対して先端側で隣り合う第２保護膜箔Ｂｋがカード４に転写されるように、巻取部６３、搬送部１０及び転写部２０を制御する。
【００４７】
ここで、位置検出センサ８１３により検出される第１マークＣｋ及び第２マークＤｋは、それに対応する各保護膜箔の位置から離れているが、制御部３０が、制御データと、位置検出センサ８１３からの第１マーク検出信号または第２マーク検出信号を基に第１保護膜Ａｋ及び第２保護膜箔Ｂｋの相対的な位置関係を算出し、第１保護膜Ａｋ及び第２保護膜箔Ｂｋの位置を認識するようになっている。また、カード４の位置は、制御部３０が、制御データと、入口センサ６４からのカード入検出信号とを基にカード４の相対的な位置関係を算出し、カード４の位置を認識するようになっている。
【００４８】
具体的には、記憶部３２には、制御データとして、位置検出センサ８１３から搬送部１０の基準位置までの距離、入口センサ６４から搬送部１０の基準位置までの距離、転写ローラ２２までの距離、ガイドローラ８１２ｄまでの距離、ガイドローラ８１２ｅまでの距離や、位置検出センサ８１３から基準位置までの距離、転写ローラ２２までの距離、ガイドローラ８１２ｄまでの距離、ガイドローラ８１２ｅまでの距離、カード４の全長、第１保護膜Ａｋ及び第２保護膜箔Ｂｋの全長及び間隔、等が記憶されている。ここで、基準位置とは、転写部２０よりも上流側において転写部２０の直前の位置である（図７（ａ）参照）。
【００４９】
以下、カード作成装置１の動作について説明する。なお、以下の説明において、搬送されるカード４の下流方向の端部を先端といい、上流方向の端部を後端という。カード４の先端側はテープ８１の先端側であり、カード４の後端側はテープ８１の基端側である。
【００５０】
カード作成タイミングになると、制御部３０は、カード供給マガジン３からプリント部２にカード４が供給されるようにカード供給マガジン３を制御する。
【００５１】
カード４がプリント部２に到達すると、制御部３０は、記憶部３２中の画像データを基にプリント部２を制御してカード４上に画像をプリントさせてから、画像記録後のカード４を保護膜転写装置６に搬送させる。
【００５２】
ここで、制御部３０は、保護膜転写装置６を制御して、転写準備を行っている。以下、保護膜転写装置６による転写動作について図６及び図７を参照にして説明する。図６は保護膜転写装置６による転写動作のフローチャートであり、図７は転写動作における第１保護膜箔Ａｋ及び第２保護膜箔Ｂｋの動作を表す説明図である。
【００５３】
なお、図７中においては、基準位置に対するカード４及び入口センサ６４の搬送部１０上の相対位置と、基準位置に対する第１保護膜箔Ａｋ、第２保護膜箔Ｂｋ及び位置検出センサ８１３のテープ８１上の相対位置とを重ねて記載している。例えば、図７（ａ）では、カード４及び第１保護膜箔Ａ１がカード作成タイミング後に基準位置で待機する場合を示している。
【００５４】
図６に示すように制御部３０は、ステップＳ１ではプリント部２に対してカード４の保護膜転写装置６への搬送を指示すると同時に、昇降装置６６に転写後従動ローラ１７を上昇させ、昇降装置６７に転写ローラ２２を上昇させる。ここで、制御部３０が位置検出センサ８１３の検出結果を基に巻取部６３を正転状態で制御すると、巻取部６３が巻取り軸８３を回転駆動し、第１保護膜箔Ａ１が転写部２０の上流側の基準位置になり且つ第２保護膜箔Ｂ１が転写部２０よりも下流になるまで、テープ８１が巻取り軸８３によって巻取られる（ステップＳ２）。具体的には、例えば位置検出センサ８１３が第１マークＣ１を検出すると、制御部３０が第１保護膜箔Ａ１が基準位置にあり、第２保護膜箔Ｂ１が転写部２０よりも下流にあると判断し、制御部３０は巻取部６３の駆動を一旦停止する。
なお、転写部２０付近の第２保護膜箔Ｂ１よりも先端側の第１保護膜箔Ａ０、第２保護膜箔Ｂ０は転写に用いられないことになる。
【００５５】
ステップＳ３では、制御部３０が搬送部１０を制御して駆動ローラ１４を駆動することにより、プリント部２によって保護膜転写装置６に搬送されたカード４が、搬送方向下流へ搬送される（往路）。この際、制御部３０は、入口センサ６４のカード入検出信号を基にしてカード４が基準位置に到達したと判断し、カード４が基準位置に到達していない場合にはカード４の搬送を継続し、カード４が基準位置に到達した場合にはステップＳ５に移行する（ステップＳ４）。
【００５６】
ステップＳ５では、カード４が基準位置で待機する第１保護膜箔Ａ１の真下まで搬送部１０の搬入ベルト１３によって搬送されると、制御部３０が搬送部１０の駆動ローラ１４を停止し、カード４が第１保護膜箔Ａ１の真下で停止する（図７（ａ））。
【００５７】
ステップＳ６では、制御部３０が昇降装置６６，６７を作動させ、昇降装置６６が転写後従動ローラ１７を下降させ、昇降装置６６が転写ローラ２２を下降させ、第１保護膜箔Ａ１がカード４の上面に当接する。
ステップＳ７では、制御部３０が巻取部６３を正転状態に制御すると同時に、制御部３０が転写部２０の転写ローラ２２及び転写後駆動ローラ１６を駆動すると、カード４及びテープ８１が転写ローラ２２とプラテンローラ２１との間に挟まれた状態で、テープ８１が巻取り軸８３に巻き取られるとともにカード４が搬送方向下流側へ搬送される。この際、カードが第１保護膜箔Ａ１に重なった状態で搬送され、これによりカード４上に第１保護膜箔Ａ１が転写される。
【００５８】
ステップＳ８では、制御部３０が引き続き巻取部６３を正転状態に制御するとともに転写部２０の転写ローラ２２及び転写後駆動ローラ１６を駆動すると、カード４の先端部及び第１保護膜箔Ａ１の先端部がガイドローラ８１２ｅと対向する位置までテープ８１及びカード４が搬送方向下流へ搬送される。この際、カード４に転写された第１保護膜箔Ａ１は、転写後従動ローラ１７によって冷却されることになる。
【００５９】
ステップＳ９では、制御部３０が引き続き巻取部６３を正転状態に制御するとともに転写部２０の転写ローラ２２及び転写後駆動ローラ１６を駆動すると、カード４の先端部及び第１保護膜箔Ａ１の先端部がガイドローラ８１２ｅから下流に向かって搬送される（図７（ｂ））。この際、巻取り軸８３により巻き取られるテープ８１はガイドローラ８１２ｅよりも巻取り軸８３側で上方に引き上げられるので、カード４上の第１保護膜箔Ａ１の先端がテープ８１から剥離されることになる（図８（ａ））。
【００６０】
そして、カード４の先端部及び第１保護膜箔Ａ１の先端部がガイドローラ８１２ｅから下流へ搬出された後、カード４の先端部が排出駆動ローラ１８に至る前に、制御部３０が昇降装置６６，６７を作動させ、昇降装置６６が転写後従動ローラ１７を上昇させ、昇降装置６６が転写ローラ２２を上昇させる。そして、制御部３０が巻取部６３を反転状態に制御するとともに、駆動ローラ１４を反転させる。この際、カード４は搬送方向上流へ搬送され、テープ８１が元巻き軸８２に巻き取られる。
【００６１】
その後、制御部３０が昇降装置６６，６７を作動させ、昇降装置６６が転写後従動ローラ１７を上昇させ、昇降装置６６が転写ローラ２２を上昇させる。そして、制御部３０が引き続き巻取部６３を反転状態に制御するとともに駆動ローラ１４を反転させると、カード４の後端及び第１保護膜箔Ａ１の後端がガイドローラ８１２ｄから上流へ搬出される。この際、元巻き軸８２により巻き取られるテープ８１が上方に引き上げられるので、カード４上の第１保護膜箔Ａ１の後端がテープ８１から剥離されることになる（図８（ｂ））。
【００６２】
その後、転写後従動ローラ１７、転写ローラ２２を上昇させた状態で、制御部３０が引き続き巻取部６３を反転状態に制御するとともに駆動ローラ１４を反転させると、カード４が搬入ベルト１３によって搬送方向上流へ搬送される。これにより、カード４上の第１保護膜箔Ａ１の左右側部は、テープ８１から剥離されることになる。したがって、先端があらかじめテープ８１から剥離された第１保護膜箔Ａ１は、全てテープ８１から剥離されることになる。
【００６３】
以上のように制御部３０が巻取部６３を反転状態に制御して転写部２０の転写ローラ２２、転写後駆動ローラ１６及び駆動ローラ１４を反転させている時に、制御部３０は入口センサ６４の検出結果を基にしてカード４が入口センサ６４の上流側まで到達したかどうかを判断する（ステップＳ１０）。カード４が搬送ベルト１３によって入口センサ６４の上流に到達した場合には（ステップＳ１０：Ｙｅｓ）、ステップＳ１１に移行する。
【００６４】
ステップＳ１１では、制御部３０は、搬送部１０を制御して駆動ローラ１４を停止し、カード４の搬送を停止させる（図７（ｃ））。
【００６５】
ステップＳ１２では、制御部３０が昇降装置６６，６７を作動させると、昇降装置６６が転写後従動ローラ１７を上昇させ、昇降装置６７が転写ローラ２２を上昇させる。
ステップＳ１３では、制御部３０は引き続き巻取部６３を反転状態に制御すると、元巻き軸８２が回転し、テープ８１が元巻き軸８２に巻き取られる。この際、制御部３０は位置検出センサ８１３の検出結果を基に巻取部６３を制御し、第１保護膜箔Ａ１に対して巻取り軸８３側で隣り合う第２保護膜箔Ｂ１が転写部２０の上流側の基準位置までテープ８１が巻き取られたら、制御部３０は巻取部６３を一旦停止する。具体的には、位置検出センサ８１３が第２マークＤ１を検出すると、制御部３０が第２保護膜箔Ｂ１が転写部２０よりも上流にあると判断し、制御部３０は巻取部６３の駆動を一旦停止する。
【００６６】
ステップＳ１４では、制御部３０が搬送部１０を制御して駆動ローラ１４を駆動すると、カード４が搬送方向下流へ搬送される（往路）。この際、制御部３０は、入口センサ６４の検出結果を基にしてカード４が基準位置に到達したと判断し、カード４が基準位置に到達していない場合にはカード４の搬送を継続させて、カード４が基準位置に到達した場合にはステップＳ１６に移行する（ステップＳ１５）。
【００６７】
ステップＳ１６では、基準位置で待機する第２保護膜箔Ｂ１の真下までカード４が搬送ベルト１３によって搬送されると、制御部３０が搬送部１０の駆動ローラ１４を停止し、カード４が第２保護膜箔Ｂ１の真下で停止する（図７（ｄ））。
【００６８】
ステップＳ１７では、制御部３０が昇降装置６６，６７を作動させると、昇降装置６６が転写後従動ローラ１７を下降させ、昇降装置６７が転写ローラ２２を下降させ、第２保護膜箔Ｂ１がカード４の上面に当接する。
【００６９】
ステップＳ１８では、制御部３０が巻取部６３を正転状態に制御すると同時に、制御部３０が転写部２０の転写ローラ２２及び転写後駆動ローラ１６を駆動すると、カード４及びテープ８１が転写ローラ２２とプラテンローラ２１との間に挟まれた状態で、テープ８１が巻取り軸８３に巻き取られとともにカード４が搬送方向下流側へ搬送される。この際、カード４が第２保護膜箔Ｂ１に重なった状態で搬送され、これによりカード４上に第２保護膜箔Ｂ１が転写される。なお、転写中に制御部３０が排出駆動ローラ１８を駆動する。
【００７０】
ステップＳ１９では、制御部３０が引き続き巻取部６３を正転状態に制御するとともに転写部２０の転写ローラ２２及び転写後駆動ローラ１６を駆動すると、カード４及び第２保護膜箔Ｂ１がガイドローラ８１２ｅと対向する位置までテープ８１及びカード４が搬送方向下流へ搬送される。この際、カード４に転写された第２保護膜箔Ｂ１は、転写後従動ローラ１６によって冷却されることになる。
【００７１】
制御部３０が引き続き巻取部６３を正転状態に制御するとともに転写部２０の転写ローラ２２、転写後駆動ローラ１６、排出駆動ローラ１８を駆動すると、カード４の先端部及び第２保護膜箔Ｂ１の先端がガイドローラ８１２ｅから下流に向かって搬送される。この際、巻取り軸８３に巻き取られるテープ８１はガイドローラ８１２ｅにより上方に引き上げられるので、カード４上の第２保護膜箔Ｂ１の先端はテープ８１から剥離されることになる。また、カード４が排出駆動ローラ１８、排出従動ローラ１９の方向に搬送されることにより、カード４上の第２保護膜箔Ｂ１左右側部は、テープ８１から剥離されることになる。
【００７２】
なお、制御部３０は搬送部１０及び巻取部６３を制御して、排出駆動ローラ１８、排出従動ローラ１９でのカード４の搬送速度を、巻取り軸８３によるテープ８１の巻取速度よりも速くしている。このため、カード４は排出駆動ローラ１８、排出従動ローラ１９によってテープ８１から引っ張られることになる。
【００７３】
この引張力により、カード４上の第２保護膜箔Ｂ１の後端は剪断され、カード４上の第２保護膜箔Ｂ１はテープ８１から剥離されることになる（図７（ｅ）、図９）。
このように、制御部３０、搬送部１０、巻取部６３、ガイドローラ８１２ｄ、ガイドローラ８１２ｅ、排出駆動ローラ１８、排出従動ローラ１９によって、カード４の搬送経路上でカード４上の第１保護膜箔Ａ１及び第２保護膜箔Ｂ１が剥離される。
【００７４】
ステップＳ２０では、制御部３０は位置検出センサ８１３の検出結果を基に巻取部６３を制御すると、巻取部６３が巻取り軸８３を回転駆動し、第１保護膜箔Ａ２が転写部２０の上流側の基準位置になり且つ第２保護膜箔Ｂ２が転写部２０よりも下流になるまで、テープ８１が巻取り軸８３によって巻取られる。具体的には、例えば位置検出センサ８１３が第１マークＣ２を検出すると、制御部３０が第１保護膜箔Ａ２が基準位置にありかつ第２保護膜箔Ｂ２が転写部２０よりも下流にあると判断し、制御部３０は巻取部６３の駆動を一旦停止する。これにより、１枚目のカード４に対する転写動作が終了し、２枚目以降のカードに対する転写動作の準備が完了する（図７（ｆ））。
【００７５】
２枚目以降のカードに対する転写動作においても図７のフローチャートが繰り返されることで、第１保護膜箔Ａ２及び第２保護膜箔Ｂ２が順に送られて各カードに積層される。
【００７６】
以上のように、第１の実施の形態によれば、巻取部６３、搬送部１０及び転写部２０によって、カード４上に２種類の保護膜箔が全て積層されるので、一台の保護膜転写装置６によって２種類の保護膜箔を転写することが可能となる。これにより、カード作成装置１を小型化することができ、結果的に設置面積を省スペース化することができる。
【００７７】
また、カード４の搬送経路上で保護膜が転写されたカードをテープから離れる方向に引っ張ることで、保護膜箔を、カード上の保護膜箔とテープに残存する保護膜箔とに剪断するので、カードに転写された保護膜箔をテープから容易に剥離することができる。
【００７８】
また、第１保護膜箔Ａｋがカード４に転写された後、当該第１保護膜箔Ａｋに対して先端側（巻取り軸８３側）で隣り合う第２保護膜箔Ｂがカード４ｋに転写されるので、電源投入直後に転写部２０付近に第２保護膜箔Ｂ１があったとしてもその第２保護膜箔Ｂ１をカード４上に転写することができる。したがって、イニシャル時におけるロスを低減することが可能となる。
【００７９】
カートリッジ８内のテープ８１の使用が終わるときは、位置検出センサ８１３（位置検出センサ８１３）がエンドテープ９１を検出することにより、制御部３０が終了動作を行う。
【００８０】
すなわち、図６のステップＳ２において、最後の第１保護膜箔Ａｍに対応する第１マークＣｍを位置検出センサ８１３（位置検出センサ８１３）が検出し（図１０（ａ））、その後、ステップＳ７で制御部３０が巻取部６３及び転写部２０を制御してテープ８１を巻取り軸８３で巻き取る過程で、位置検出センサ８１３がエンドテープ９１を検出する（図１０（ｂ））。位置検出センサ８１３がエンドテープ９１を検出すると、制御部３０は最後の第１保護膜箔Ａｍ及び第２保護膜箔Ｂｍの転写を終えた後（図１０（ｃ）〜（ｄ））、ステップＳ２０以降の動作を行わない。その代わりに、制御部３０は巻取部６３を制御して巻取り軸８３でテープ８１を巻き取り、その後動作を停止する。
【００８１】
なお、本発明の実施形態とは別に、第１保護膜箔Ａの次に転写する第２保護膜箔Ｂとして、当該第１保護膜箔Ａに対して基端側（元巻き軸８２側）で隣り合う第２保護膜箔Ｂを用いることも考えられるが、以下に説明するように、第１マークＣｍの基端部側にプレエンドマーク９２を設ける必要がある。
【００８２】
すなわち、図１１に示すように、カートリッジ８内のテープ８１の使用が終わるときは、最後の第１保護膜箔Ａｍをカード４に転写（図１１（ａ）〜（ｃ））した後に、最後の第２保護膜箔Ｂｍの転写（図１１（ｄ），（ｅ））を行うことになるが、位置検出センサ８１３がエンドテープ９１を検出するのは、第２保護膜箔Ｂｍの転写時となる（図１１（ｅ））。このため、制御部が早めに終了動作の準備をするためには、第１保護膜箔Ａｍの転写を行うステップで位置検出センサ８１３がプレエンドマーク９２を検出するようにする必要がある。
【００８３】
あるいはエンドテープ９１を第１マークＣｍの基端部側に設け、エンドテープ９１上に第２保護膜箔Ｂに対応する第２マークＤｍを設けてもよいが、この場合にはエンドテープ９１に複雑な加工を施す必要がある。
【００８４】
これに対して、本実施の形態では、第１保護膜箔Ａの次に転写する第２保護膜箔Ｂとして、当該第１保護膜箔Ａｋに対して先端側（巻取り軸８３側）で隣り合う第２保護膜箔Ｂｋを用いるので、プレエンドマークを設ける必要がない。
【００８５】
なお、本発明は上記実施の形態に限らず適宜変更可能であるのは勿論である。
例えば、第１及び第２の実施の形態では、保護膜箔が２種類である場合を例示して説明したが３種類以上であってもよい。つまり、カートリッジ８のテープ８１に、ｎ（ｎ≧２（ｎは自然数））種類の保護膜箔が各種類毎に所定の順序で繰り返しコーティングされていれば、ｎ種類の保護膜箔をカード４上に積層するように転写することが可能となる。
【図面の簡単な説明】
【００８６】
【図１】カード作成装置におけるカードの流れを表すブロック図である。
【図２】第１の実施の形態に係る保護膜転写装置の正面図である。
【図３】図２の保護膜転写装置に設けられたカートリッジ内のテープの表面を表す説明図である。
【図４】図３のIV−IV矢視断面図である。
【図５】図１のカード作成装置の主制御構成を表すブロック図である。
【図６】図２の保護膜転写装置による転写動作のフローチャートである。
【図７】図２の保護膜転写装置の転写動作におけるテープ８１及びカード４の動作を表す説明図である。
【図８】（ａ）は第１保護膜箔Ａ１の先端をテープ８１から剥離するときの装置拡大図であり、（ｂ）は第１保護膜箔Ａ１の後端をテープ８１から剥離するときの装置拡大図である。
【図９】カード４上の第２保護膜箔Ｂ１の後端をテープ８１から剥離するときの装置拡大図である。
【図１０】最後の第１保護膜箔Ａｍ，第２保護膜箔Ｂｍの転写動作におけるテープ８１及びカード４の動作を表す説明図である。
【図１１】本発明の実施形態以外の形態による最後の第１保護膜箔Ａｍ，第２保護膜箔Ｂｍの転写動作におけるテープ８１及びカード４の動作を表す説明図である。
【符号の説明】
【００８７】
４     カード
６     保護膜転写装置
１０   搬送部
１８   排出駆動ローラ（引張部）
２０   転写部
３０   制御部
６３   巻取部
８１   テープ
８２   元巻き軸
８３   巻取り軸
Ａ     第１保護膜箔（上流側保護膜箔）
Ｂ     第２保護膜箔（下流側保護膜箔）
８１２ａ〜８１２ｇ   ガイドローラ
【図１】
2007136893.tif 000003
【図２】
2007136893.tif 000004
【図３】
2007136893.tif 000005
【図４】
2007136893.tif 000006
【図５】
2007136893.tif 000007
【図６】
2007136893.tif 000008
【図７】
2007136893.tif 000009
【図８】
2007136893.tif 000010
【図９】
2007136893.tif 000011
【図１０】
2007136893.tif 000012
【図１１】
2007136893.tif 000013